(57)【要約】【課題】気体の流量を調整する可動カバーを備えるダンパ装置において、流体の遮蔽性能を低下させずに可動カバーが移動することに伴う衝突音を低減する。【解決手段】気体が通過する開口部７ａを有する壁部７と、壁部７に対して当接及び離間する方向に直動することで開口部７ａを通過する気体の流量を調整する可動カバー３と、可動カバー３を直動させる駆動ユニット８と、駆動ユニット８を支持する支持体２と、を備え、少なくとも壁部７と可動カバー３との当接位置に緩衝部材９が配置されているダンパ装置１。【選択図】図２
2019128066.tif 000002
【特許請求の範囲】
【請求項１】
気体が通過する開口部を有する壁部と、
前記壁部に対して当接及び離間する方向に直動することで前記開口部を通過する気体の流量を調整する可動カバーと、
前記可動カバーを直動させる駆動ユニットと、
前記駆動ユニットを支持する支持体と、を備え、
少なくとも前記壁部と前記可動カバーとの当接位置に緩衝部材が配置されていることを特徴とするダンパ装置。
【請求項２】
請求項１に記載のダンパ装置において、
前記緩衝部材は、前記壁部と前記可動カバーとの当接方向に凹む凹部に設置されていることを特徴とするダンパ装置。
【請求項３】
請求項２に記載のダンパ装置において、
前記凹部の前記緩衝部材を設置する設置面は、前記緩衝部材の設置面積よりも広いことを特徴とするダンパ装置。
【請求項４】
請求項２または３に記載のダンパ装置において、
前記凹部は、前記壁部に設けられており、前記壁部と前記可動カバーとの当接方向と交差する交差方向における前記可動カバーの端部の位置に設けられ、前記可動カバーの端部が延在する延在方向の長さが該延在方向と交差する方向の長さよりも長いことを特徴とするダンパ装置。
【請求項５】
請求項１から４のいずれか１項に記載のダンパ装置において、
前記可動カバーは、前記壁部と前記支持体との間を移動可能に構成されており、
前記緩衝部材は、前記支持体と前記可動カバーとの当接位置にも配置されていることを特徴とするダンパ装置。
【請求項６】
請求項１から５のいずれか１項に記載のダンパ装置において、
前記緩衝部材は、少なくとも前記壁部と前記可動カバーとの３ヶ所以上の当接位置に配置されていることを特徴とするダンパ装置。
【請求項７】
請求項１から６のいずれか１項に記載のダンパ装置において、
前記駆動ユニットは、移動軸に沿って前記可動カバーを直動可能に構成されており、
前記緩衝部材は、前記移動軸を基準に等角度となるように複数配置されていることを特徴とするダンパ装置。
【請求項８】
請求項１から７のいずれか１項に記載のダンパ装置において、
前記緩衝部材は、前記壁部と前記可動カバーとの当接方向と交差する交差方向における前記可動カバーの端部、及び、前記壁部の前記端部と対向する位置、の少なくとも一方に配置されていることを特徴とするダンパ装置。
【請求項９】
請求項１から８のいずれか１項に記載のダンパ装置において、
前記壁部と前記可動カバーとの当接位置には、前記壁部と前記可動カバーとの当接方向に突出する突出部が設けられていることを特徴とするダンパ装置。
【発明の詳細な説明】
【技術分野】
【０００１】
本発明は、ダンパ装置に関する。
【背景技術】
【０００２】
従来から、様々なダンパ装置が使用されている。このようなダンパ装置のうち、可動カバーを備え、可動カバーの位置を変えることで気体の流量を調整するダンパ装置がある。例えば、特許文献１には、カバー（可動カバー）を支持体に対して直線移動させて冷気通路の開度を切り換える（すなわち、気体の流量を調整する）ダンパ装置が開示されている。
【先行技術文献】
【特許文献】
【０００３】
【特許文献１】特開２０１５−２００４７５号公報
【発明の概要】
【発明が解決しようとする課題】
【０００４】
しかしながら、特許文献１で開示されるダンパ装置のような、気体の流量を調整する可動カバーを備える従来のダンパ装置においては、可動カバーが移動することに伴い、すなわち可動カバーを閉じて冷却器側と庫内の流体移動を遮蔽する状態にする場合、該可動カバーの移動端部が他の部材と衝突し、その衝突音が大きくなる場合がある。
【０００５】
そこで、本発明の目的は、気体の流量を調整する可動カバーを備えるダンパ装置において、流体の遮蔽性能を低下させずに可動カバーが移動することに伴う衝突音を低減することである。
【課題を解決するための手段】
【０００６】
本発明の第１の態様に係るダンパ装置は、気体が通過する開口部を有する壁部と、前記壁部に対して当接及び離間する方向に直動することで前記開口部を通過する気体の流量を調整する可動カバーと、前記可動カバーを直動させる駆動ユニットと、前記駆動ユニットを支持する支持体と、を備え、少なくとも前記壁部と前記可動カバーとの当接位置に緩衝部材が配置されていることを特徴とする。
【０００７】
本態様によれば、少なくとも壁部と可動カバーとの当接位置に緩衝部材が配置されているので、可動カバーが移動することに伴って壁部と可動カバーとが衝突した際の衝突音を低減することができる。
【０００８】
本発明の第２の態様に係るダンパ装置は、前記第１の態様において、前記緩衝部材は、前記壁部と前記可動カバーとの当接方向に凹む凹部に設置されていることを特徴とする。
【０００９】
本態様の緩衝部材は凹部に設置されているので、可動カバーを壁部に対して当接させている際、可動カバーと壁部との隙間を低減でき、該隙間からの気体の漏れを抑制できる。
【００１０】
本発明の第３の態様に係るダンパ装置は、前記第２の態様において、前記凹部の前記緩衝部材を設置する設置面は、前記緩衝部材の設置面積よりも広いことを特徴とする。
【００１１】
本態様によれば、凹部における設置面は緩衝部材の設置面積よりも広いので、壁部と可動カバーとの当接に伴い緩衝部材が変形しても、凹部と緩衝部材との間に該変形した部分を逃がすことができる。
【００１２】
本発明の第４の態様に係るダンパ装置は、前記第２または第３の態様において、前記凹部は、前記壁部に設けられており、前記壁部と前記可動カバーとの当接方向と交差する交差方向における前記可動カバーの端部の位置に設けられ、前記可動カバーの端部が延在する延在方向の長さが該延在方向と交差する方向の長さよりも長いことを特徴とする。
【００１３】
本態様によれば、凹部は、壁部に設けられており、交差方向における可動カバーの端部に沿って延在し、可動カバーの端部の延在方向の長さが該延在方向と交差する方向の長さよりも長い。該凹部を延在方向に長い凹部とすることにより、可動カバーとの接触箇所を効率的に増やすことができる。
【００１４】
本発明の第５の態様に係るダンパ装置は、前記第１から第４のいずれか１つの態様において、前記可動カバーは、前記壁部と前記支持体との間を移動可能に構成されており、前記緩衝部材は、前記支持体と前記可動カバーとの当接位置にも配置されていることを特徴とする。
【００１５】
本態様によれば、緩衝部材は支持体と可動カバーとの当接位置にも配置されているので、可動カバーと壁部との衝突音だけでなく、可動カバーと支持体との衝突音も低減することができる。
【００１６】
本発明の第６の態様に係るダンパ装置は、前記第１から第５のいずれか１つの態様において、前記緩衝部材は、少なくとも前記壁部と前記可動カバーとの３ヶ所以上の当接位置に配置されていることを特徴とする。
【００１７】
本態様の緩衝部材は、少なくとも壁部と可動カバーとの３ヶ所以上の当接位置に配置されている。３ヶ所以上の当接位置に緩衝部材を配置することで、緩衝部材が配置されている位置以外の位置における壁部と可動カバーとの衝突可能性を低減できる。
【００１８】
本発明の第７の態様に係るダンパ装置は、前記第１から第６のいずれか１つの態様において、前記駆動ユニットは、移動軸に沿って前記可動カバーを直動可能に構成されており、前記緩衝部材は、前記移動軸を基準に等角度となるように複数配置されていることを特徴とする。
【００１９】
本態様のダンパ装置は、駆動ユニットが移動軸に沿って可動カバーを直動可能に構成されており、緩衝部材が移動軸を基準に等角度となるように複数配置されている。緩衝部材が移動軸を基準に等角度となるように複数配置することで、緩衝部材が配置されている位置以外の位置における壁部と可動カバーとの衝突可能性を低減できる。
【００２０】
本発明の第８の態様に係るダンパ装置は、前記第１から第７のいずれか１つの態様において、前記緩衝部材は、前記壁部と前記可動カバーとの当接方向と交差する交差方向における前記可動カバーの端部、及び、前記壁部の前記端部と対向する位置、の少なくとも一方に配置されていることを特徴とする。
【００２１】
交差方向における可動カバーの端部は位置的に壁部に対して衝突しやすいが、交差方向における可動カバーの端部及び壁部の該端部と対向する位置の少なくとも一方に緩衝部材が配置されていることで、緩衝部材が配置されている位置以外の位置における壁部と可動カバーとの衝突可能性を低減できる。
【００２２】
本発明の第９の態様に係るダンパ装置は、前記第１から第８のいずれか１つの態様において、前記壁部と前記可動カバーとの当接位置には、前記壁部と前記可動カバーとの当接方向に突出する突出部が設けられていることを特徴とする。
【００２３】
本態様によれば、壁部と可動カバーとの当接位置に突出部が設けられているので、先に突出部に対して衝突させてから緩衝部材に対して衝突させることで、壁部と可動カバーとが衝突した際の衝突音を効果的に低減することができる。
【発明の効果】
【００２４】
本発明のダンパ装置は、流体の遮蔽性能を低下させずに可動カバーが移動することに伴う衝突音を低減することができる。
【図面の簡単な説明】
【００２５】
【図１】本発明の一実施例に係るダンパ装置を備える装置の一例を表す概略斜視図である。
【図２】本発明の一実施例に係るダンパ装置を表す概略斜視図である。
【図３】本発明の一実施例に係るダンパ装置から支持体を外した状態を表す概略斜視図である。
【図４】本発明の一実施例に係るダンパ装置から支持体と可動カバーとを外した状態を表す概略斜視図である。
【図５】本発明の一実施例に係るダンパ装置から支持体と可動カバーと回転体とを外した状態を表す概略斜視図である。
【図６】本発明の一実施例に係るダンパ装置を表す概略斜視図である。
【図７】本発明の一実施例に係るダンパ装置から壁部を外した状態を表す概略斜視図である。
【図８】本発明の一実施例に係るダンパ装置から壁部とファンとを外した状態を表す概略斜視図である。
【図９】本発明の一実施例に係るダンパ装置から壁部とファンと回転体とを外した状態を表す概略斜視図である。
【図１０】本発明の一実施例に係るダンパ装置を表す概略側面図である。
【図１１】本発明の一実施例に係るダンパ装置を表す概略側面図である。
【図１２】本発明の別の一実施例に係るダンパ装置を表す概略斜視図である。
【発明を実施するための形態】
【００２６】
以下に、本発明の一実施例に係るダンパ装置１について説明する。  
最初に、本実施例のダンパ装置１の使用例について説明する。  
図１は、本実施例のダンパ装置１を備える装置の一例である冷蔵庫１０１を表す概略図（一部透視図）である。
【００２７】
（ダンパ装置１の使用例）  
図１で表されるように、本実施例のダンパ装置１は、冷蔵庫１０１などで使用可能である。本実施例のダンパ装置１を備える図１で表される冷蔵庫１０１は、冷蔵室１０２と、冷凍室１０３と、野菜室１０４と、を備えている。冷蔵庫１０１は、冷却器１０５で生成された冷気を本実施例のダンパ装置１（送風機）を開状態にすることで気流ＡＦにして送出し、何れも開閉板を開閉可能な開閉板式ダンパ装置１０６、開閉板式ダンパ装置１０７及び開閉板式ダンパ装置１０８を介して、冷蔵室１０２、冷凍室１０３及び野菜室１０４に該気流ＡＦを導入可能な構成になっている。
【００２８】
ここで、本実施例の冷蔵庫１０１は、連続使用することなどに伴って冷却器１０５に霜が付着した場合に、該霜を溶解して除去する霜取りモードを実行可能である。該霜取りモードでは、ダンパ装置１を閉状態にして気流ＡＦが冷蔵室１０２、冷凍室１０３及び野菜室１０４に流入しないようにして、冷却器１０５周辺を暖気で温める。
【００２９】
詳細は後述するが、本実施例のダンパ装置１は、気体が流れるダクトなどの通路の開口部Ｏにおける気体の流量を調節するものである。なお、本実施例のダンパ装置１は、開口部Ｏにおける冷却器１０５側に形成されているが、開口部Ｏにおける冷凍室１０３側に形成されていてもよい。また、本実施例のダンパ装置１を備える装置は、冷蔵庫に限定されない。ただし、本実施例のダンパ装置１は、設置環境の気温の変化が大きい、冷蔵庫において特に好ましく用いることができる。なお、本実施例のダンパ装置１を備える冷蔵庫の構成は、図１で表される構成に限定されない。
【００３０】
（ダンパ装置１の実施例）  
次に、本実施例のダンパ装置１について詳細に説明する。
【００３１】
ここで、図２は、本実施例のダンパ装置１を表す概略斜視図である。また、図３は、図２の状態のダンパ装置１から支持体２を外した状態を表す概略斜視図である。また、図４は、図３の状態のダンパ装置１からさらに可動カバー３を外した状態を表す概略斜視図である。また、図５は、図４の状態のダンパ装置１からさらに回転体４を外した状態を表す概略斜視図である。
【００３２】
また、図６は、図２とは異なる方向から見た、本実施例のダンパ装置１を表す概略斜視図である。また、図７は、図６の状態のダンパ装置１から壁部７を外した状態を表す概略斜視図である。また、図８は、図７の状態のダンパ装置１からさらにファン６を外した状態を表す概略斜視図である。また、図９は、図８の状態のダンパ装置１からさらに回転体４を外した状態を表す概略斜視図である。
【００３３】
そして、図１０及び図１１は、本実施例のダンパ装置１を表す概略側面図である。このうち、図１０は本実施例のダンパ装置１が開状態（詳細には、全開状態）である場合、図１１は本実施例のダンパ装置１が閉状態である場合、を表している。なお、図２及び図６は共に、図１０に対応し、ダンパ装置１が開状態である場合を表している。  
なお、図２から図１１では、一部、構成部材が省略して表されている場合がある。  
ここで、図２から図１１において、方向Ｘ及び方向Ｙは、各々が直交し、共に、開口部Ｏの形成位置に取り付けられる壁部７に沿う方向である。また、方向Ｚは、開口部Ｏの開口方向であり、方向Ｘ及び方向Ｙと共に直交する方向である。
【００３４】
（ダンパ装置１の概要）  
本実施例のダンパ装置１は、開口部Ｏの形成位置に対して壁部７の開口部７ａの位置が合うように壁部７を所定の取り付け位置に取り付けて使用される。また、ダンパ装置１は、図２、図３、図６〜図１１で表されるように、方向Ｚに沿って移動可能な可動カバー３を備えている。ダンパ装置１は、可動カバー３を壁部７に当接させることにより可動カバー３が開口部７ａを塞いで閉状態（図１１参照）となり、可動カバー３を壁部７から離間させることにより可動カバー３と開口部７ａとの間に隙間ができて開状態（図１０参照）となる。
【００３５】
また、ダンパ装置１は、図３及び図４などで表されるように、可動カバー３を方向Ｚに沿って真っ直ぐ移動（直動）させる駆動ユニット８を備えている。駆動ユニット８は、モータ５と回転体４とを有しており、モータ５が支持体２の支持部２ａに支持されることで可動カバー３側に突出している。
【００３６】
また、ダンパ装置１は、図１〜図７などで表されるように、ファン６を備えている。ファン６の駆動機構については省略するが、ダンパ装置１は、開状態のときにファン６を回転させることで、開状態における開口部Ｏを介する気流ＡＦの流れをスムースにしている。なお、本実施例のダンパ装置１においては、開状態における開口部Ｏを介する気流ＡＦの流れをスムースにするためにファン６を設けているが、ファン６を設けない構成としてもよい。
【００３７】
次に、本実施例のダンパ装置１の主要な構成部材について個別に説明する。  
（支持体２）  
本実施例の支持体２は樹脂製である。図２などで表されるように、駆動ユニット８を支持する支持部２ａは、平面視で（方向Ｚに沿う方向から見て）端板部２ｂの中央部分に設けられている。支持部２ａには、図２で表されるように、孔部２ｃと切欠き部２ｄが設けられている。なお、孔部２ｃには後述するモータ５の本体部５ａが配置され、切欠き部２ｄにはモータ５の給電部５ｂが配置される。
【００３８】
また、端板部２ｂにおける可動カバー３と対向する側には、図８、図９及び図１１で表されるように、方向Ｚに沿って延設される柱状部２ｅが設けられている。柱状部２ｅは、図８及び図９で表されるように、モータ５の回転軸５ｃを基準にして平面視で等角度となるように３本配置されている。
【００３９】
（可動カバー３）  
本実施例の可動カバー３は樹脂製である。可動カバー３は、図８及び図９などで表されるように、底面部３ｄと側面部３ｅとを有する略カップ状をしている。そして、可動カバー３は、図３などで表されるように、平面視で底面部３ｄの中央部分（底面部３ｄにおける支持部２ａに略対応する位置）に、後述する回転体４の係合部４ａと係合する被係合部３ａが設けられている。
【００４０】
また、可動カバー３には、図３で表されるように底面部３ｄにおける支持体２の柱状部２ｅに対応する位置に孔部３ｂが設けられており、柱状部２ｅは孔部３ｂに通されている。可動カバー３にこのような構成の孔部３ｂが設けられていることで、可動カバー３が方向Ｚに沿って移動する際、可動カバー３は柱状部２ｅにガイドされて移動する。
【００４１】
そして、可動カバー３の側面部３ｅには、図３、図８及び図９などで表されるように、孔部３ｂの形成位置から方向Ｚに沿う方向に沿って、半円筒部３ｃが形成されている。ここで、柱状部２ｅの中心位置と、半円筒部３ｃにおける円弧の中心位置とは、概ね一致している。そして、図７で表されるように、ファン６における平面視で円弧部分を有する固定部６ａ（図４及び図５参照）が半円筒部３ｃの内部領域において柱状部２ｅに固定されることで、ファン６は支持体２に固定される。なお、可動カバー３が、ファン６の本体部６ｂ（図４及び図５参照）を覆うことが可能なように略カップ状をしていることと、固定部６ａの円弧部分に対応する位置に方向Ｚに沿って延設される半円筒部３ｃを有していることとで、可動カバー３は、可動カバー３が方向Ｚに沿って移動しても、可動カバー３とファン６とが干渉しない構成になっている。
【００４２】
また、可動カバー３には、図３で表されるように、底面部３ｄの最外周部分に弾性体で構成される緩衝部材９（緩衝部材９ａ）が配置されている。本実施例のダンパ装置１においては、図１０で表されるような全開状態では、支持体２と可動カバー３とが当接するが、緩衝部材９ａを備えることで、緩衝部材９ａを介して支持体２と可動カバー３とが当接することとなり、支持体２と可動カバー３とが当接することに伴う衝突音を低減できる構成になっている。なお、緩衝部材９ａは、３つ設けられているが、これら３つの大きさや形状は何れも同等である。また、図３で表されるように、各緩衝部材９ａには孔部が設けられ、該孔部が可動カバー３の底面部３ｄに設けられたピン３ｆに嵌められることで緩衝部材９ａは可動カバー３に固定されている。ただし、緩衝部材９ａの固定方法に特に限定はない。
【００４３】
なお、本実施例の可動カバー３は、図１０で表されるような開状態と図１１で表されるような閉状態との間で方向Ｚに沿って直動することで開口部７ａ（開口部Ｏ）を開閉する役割をしている。しかしながら、このような構成に限定されず、可動カバー３は、例えば、方向Ｚに沿って直動することで気流ＡＦの流れる方向を変える役割をするものなどであってもよい。
【００４４】
（駆動ユニット８）  
本実施例の駆動ユニット８は、上記のように、回転体４とモータ５とを有している。  
回転体４は、図４で表されるように、円筒状部４ｂと端面部４ｃとを有しており、円筒状部４ｂの外周面には螺旋状の係合部４ａが形成されている。そして、駆動ユニット８は、円筒状部４ｂの内部にモータ５が位置するように配置される。
【００４５】
モータ５は、図５で表されるように、本体部５ａと給電部５ｂとを有している。モータ５は、支持体２に対して、本体部５ａが孔部２ｃに、給電部５ｂが切欠き部２ｄに、位置的に対応するようになっている。また、モータ５は、図８及び図９で表されるように、回転軸５ｃを有しており、回転軸５ｃに歯車５ｄが設けられている。歯車５ｄは、回転体４の端面部４ｃに設けられた不図示の歯車固定部に固定され、回転軸５ｃを回転させることで、回転体４も回転する構成になっている。
【００４６】
上記のように、回転体４の係合部４ａは、可動カバー３の被係合部３ａと係合している。このため、回転体４が回転すると、螺旋状の係合部４ａに沿って被係合部３ａが移動し、可動カバー３は、方向Ｚに延びる柱状部２ｅにガイドされて、回転軸５ｃの延びる方向である方向Ｚに沿って移動する。すなわち、本実施例の駆動ユニット８は、モータ５を駆動することで、可動カバー３を、図１０で表される全開状態（支持体２と可動カバー３とが当接する状態）の位置から、図１１で表される閉状態（壁部７と可動カバー３とが当接する状態）の位置まで、方向Ｚに沿って直動させることができる。
【００４７】
（壁部７）  
本実施例の壁部７は、図２から図６で表されるように、開口部７ａが設けられている。そして、図２から図５で表されるように、可動カバー３と対向する対向面７ｂには、可動カバー３との当接方向に凹む凹部１０が設けられ、凹部１０には、弾性体で構成される緩衝部材９（緩衝部材９ｂ）が配置されている。なお、凹部１０及び緩衝部材９ｂは、それぞれ３つ設けられているが、これら３つの大きさや形状は何れも同等である。また、各緩衝部材９ｂは凹部１０に接着することにより壁部７に固定されている。ただし、緩衝部材９ｂの固定方法に特に限定はない。
【００４８】
本実施例の壁部７においては、平面視で緩衝部材９ｂよりも凹部１０のほうが大きい。別の表現をすると、凹部１０の緩衝部材９ｂを設置する設置面は、緩衝部材９ｂの設置面積よりも広い。また、該凹部１０及び緩衝部材９ｂの対向面７ｂにおける配置は、壁部７と可動カバー３とが当接したときに、半円筒部３ｃの方向Ｚにおける端部と緩衝部材９ｂとが接触する位置である。そして、各凹部１０の形状は、図４で表されるように、可動カバー３（側面部３ｅ）の延在方向の長さＬ１が該延在方向と交差する方向の長さＬ２よりも長くなるように形成されている。
【００４９】
ここで、一旦、本実施例のダンパ装置１についてまとめる。  
本実施例のダンパ装置１は、気体が通過する開口部７ａを有する壁部７と、壁部７に対して当接及び離間する方向（方向Ｚ）に直動することで開口部７ａ（開口部Ｏ）を通過する気体の流量を調整する可動カバー３と、可動カバー３を直動させる駆動ユニット８と、駆動ユニット８を支持する支持体２と、を備え、壁部７と可動カバー３との当接位置に緩衝部材９が配置されている。  
本実施例のダンパ装置１のように、少なくとも壁部７と可動カバー３との当接位置に緩衝部材９が配置されていれば、可動カバー３が移動することに伴って壁部７と可動カバー３とが衝突（当接）した際の衝突音を低減することができる。
【００５０】
なお、「少なくとも壁部７と可動カバー３との当接位置に緩衝部材９が配置されている」とは、本実施例のダンパ装置１のように壁部７にのみ緩衝部材９（緩衝部材９ｂ）が配置されている構成のほか、可動カバー３にのみ緩衝部材９が配置されている構成や、壁部７と可動カバー３の両方に緩衝部材９が配置されている構成、の何れであってもよい意味である。また、本実施例のダンパ装置１のように壁部７と可動カバー３との当接位置の一部に緩衝部材９が配置されている構成のほか、壁部７と可動カバー３との当接位置の全体に緩衝部材９が配置されている構成や、壁部７と可動カバー３との当接位置以外の場所にも緩衝部材９が配置されている構成、の何れであってもよい意味である。
【００５１】
また、「壁部７と可動カバー３との当接」とは、本実施例のダンパ装置１のように緩衝部材９を介して壁部７と可動カバー３とが当接することを当然含む意味である。同様に、「支持体２と可動カバー３との当接」とは、本実施例のダンパ装置１のように緩衝部材９（緩衝部材９ａ）を介して支持体２と可動カバー３とが当接することを含む意味である。
【００５２】
本実施例のダンパ装置１のように、可動カバー３は壁部７と支持体２との間を移動可能に構成されており、緩衝部材９（緩衝部材９ａ）は支持体２と可動カバー３との当接位置にも配置されていることで、可動カバー３と壁部７との衝突音だけでなく、可動カバー３と支持体２との衝突音も低減することができる。
【００５３】
なお、ダンパ装置１を閉状態にするために壁部７と可動カバー３とは必ず当接するので壁部７と可動カバー３との間に緩衝部材９を配置するのは必須であるが、ダンパ装置１を開状態にする際に支持体２と可動カバー３とは必ずしも当接させなくてもよいので支持体２と可動カバー３との間に緩衝部材９を配置するのは必須ではない。しかしながら、本実施例のダンパ装置１のように、ダンパ装置１を開状態（全開状態）にする際に支持体２と可動カバー３とが当接する構成の場合は、支持体２と可動カバー３との間に緩衝部材９を配置することが好ましい。
【００５４】
次に、可動カバー３が移動することに伴って壁部７と可動カバー３とが衝突（当接）した際の衝突音を低減する効果的な構成について説明する。
【００５５】
緩衝部材９の素材としては、緩衝部材９が面加圧された際の圧縮率が高くなる素材が好ましく、例えば、発泡ウレタンや発泡ポリエチレンなどを好ましく使用できる。本実施例のダンパ装置１では、図１０で表される状態のときは、支持体２と可動カバー３との当接に伴い、緩衝部材９ａは面加圧され圧縮している（圧縮されて変形している）。そして、図１１で表される状態のときは、壁部７と可動カバー３との当接に伴い、緩衝部材９ｂは面加圧され圧縮している（圧縮されて変形している）。緩衝部材９の素材としては、緩衝部材は、多孔質部材であり弾性変形可能である発泡ウレタンや発泡ポリエチレンなどを使用することが好ましい。また、低温時に使用しない場合には、ゴムやスポンジなどの低温時に硬化する材質を用いてもよい。
【００５６】
また、本実施例のダンパ装置１のように、緩衝部材９（緩衝部材９ｂ）は、壁部７と可動カバー３との当接方向に凹む凹部１０に設置されていることが好ましい。可動カバー３を壁部７に対して当接させると、緩衝部材９の形成位置以外の場所に、壁部７と可動カバー３との間に当接方向（方向Ｚ）に隙間ができる。特に、凹部１０が設けられることなく壁部７と可動カバー３との当接位置に緩衝部材９が配置されている構成である場合、衝突音を低減するために緩衝部材９を厚くするほど隙間は大きくなる。しかしながら、緩衝部材９が凹部１０に設置されていれば、可動カバー３を壁部７に対して当接させている際、可動カバー３と壁部７との隙間を低減でき、該隙間からの気体の漏れを抑制できる。特に、本実施例のダンパ装置１のように、冷蔵庫１０１に使用される場合、霜取りのために生成した暖気が、冷蔵室１０２、冷凍室１０３及び野菜室１０４に流入しないようにするためには、該隙間を小さくできる構成が好ましい。
【００５７】
ここで、凹部１０の大きさは、凹部１０の緩衝部材９を設置する設置面が緩衝部材９の設置面積よりも広いことが望ましい。凹部１０における設置面が緩衝部材９の設置面積よりも広ければ、壁部７と可動カバー３との当接に伴い緩衝部材９が変形しても、凹部１０と緩衝部材９との間に該変形した部分を逃がすことができるためである。具体的には、凹部１０の緩衝部材９を設置する設置面が緩衝部材９の設置面積の１．２倍以上２倍以下程度である構成が好ましい。
【００５８】
なお、緩衝部材９の厚み（方向Ｚの長さ）は、１ｍｍ以上５ｍｍ以下程度が好ましい。緩衝部材９があまりに厚いと、本実施例のように緩衝部材９を複数設ける構成とした場合などにおいて、圧縮後の厚みにばらつきが生じやすく、緩衝部材９があまりに薄いと、壁部７と可動カバー３とが衝突（当接）した際の衝突音を低減する効果が弱まるためである。また、凹部１０に緩衝部材９を設ける構成でない場合は、当然、緩衝部材９があまりに厚いと、壁部７と可動カバー３とを当接させた際に緩衝部材９を圧縮させたとしても可動カバー３と壁部７との隙間が大きくなってしまう場合がある。
【００５９】
また、凹部１０の深さ（方向Ｚの長さ）は、緩衝部材９の厚みの１０分の１以上２分の１以下程度が好ましい。なお、可動カバー３と壁部７との隙間を低減する効果と衝突音を低減する効果とを考慮して、緩衝部材９の厚みとともに凹部１０の深さを決定することが特に好ましい。
【００６０】
また、上記のように、本実施例の凹部１０は、壁部７に設けられている。そして、上記のように、凹部１０は、可動カバー３の端部である側面部３ｅの延在方向に複数（３つ）設けられている。すなわち、凹部１０は、壁部７と可動カバー３との当接方向（方向Ｚ）と交差する交差方向における可動カバー３の側面部３ｅの位置に設けられている。また、凹部１０は、図４で表されるように、可動カバー３の側面部３ｅの延在方向の長さＬ１が該延在方向と交差する方向の長さＬ２よりも長い。  
壁部７と可動カバー３との当接に伴って緩衝部材９は該延在方向に特に変形するが、上記のような構成の該凹部１０により、該変形した部分を効果的に逃がすことができる。
【００６１】
なお、「可動カバー３の…延在方向の長さ」とは、可動カバー３における対象物（壁部７や支持体２など）に対して当接する可能性がある部分が延在する方向に概ね沿う方向の長さを意味する。「概ね沿う方向の長さ」であるので、厳密な意味で沿う方向の長さに限定されず、厳密な意味で沿う方向の長さから多少ずれていてもよいし、本実施例のように「可動カバー３の…延在方向」が円弧状である場合などは概ね円弧に沿う方向の長さでよい意味である。本実施例の凹部１０は、平面視で略長方形の緩衝部材９ａに対応して平面視で略長方形であるが、該略長方形の長辺の長さが可動カバー３（側面部３ｅ）の延在方向の長さＬ１に対応し、該略長方形の短辺の長さが該延在方向と交差する方向の長さＬ２に対応している。
【００６２】
また、緩衝部材９は、少なくとも壁部７と可動カバー３との３ヶ所以上の当接位置に配置されていることが好ましい。３ヶ所以上の当接位置に緩衝部材９を配置することで、緩衝部材９が配置されている位置以外の位置における壁部７と可動カバー３との衝突可能性を低減できるためである。
【００６３】
また、上記のように、本実施例のダンパ装置１においては、駆動ユニット８はモータ５の回転軸５ｃの延びる方向である方向Ｚに沿って可動カバー３を直動可能に構成されている。別の表現をすると、駆動ユニット８は移動軸としてのモータ５の回転軸５ｃに沿って可動カバー３を直動可能に構成されている。このような構成のダンパ装置１である場合、緩衝部材９は、該移動軸を基準に等角度となるように複数配置されていることが好ましい。緩衝部材９が移動軸を基準に等角度となるように複数配置することで、緩衝部材９が配置されている位置以外の位置における壁部７と可動カバー３との衝突可能性を低減できるためである。
【００６４】
また、緩衝部材９は、壁部７と可動カバー３との当接方向（方向Ｚ）と交差する交差方向における可動カバー３の端部、及び、壁部７の該端部と対向する位置、の少なくとも一方に配置されていることが好ましい。該交差方向における可動カバー３の端部は位置的に壁部７に対して衝突しやすいが、該交差方向における可動カバー３の端部及び壁部７の該端部と対向する位置の少なくとも一方に緩衝部材９が配置されていることで、緩衝部材９が配置されている位置以外の位置における壁部７と可動カバー３との衝突可能性を低減できるためである。
【００６５】
なお、本実施例のダンパ装置１においては、壁部７における該交差方向における可動カバー３の端部である側面部３ｅ（さらに詳細には半円筒部３ｃ）と対向する位置に、緩衝部材９ａが配置されている。  
さらには、本実施例のダンパ装置１は、上記の可動カバー３が移動することに伴って壁部７と可動カバー３とが衝突した際の衝突音を低減する効果的な構成（好ましい構成）をすべて満たしている。
【００６６】
（ダンパ装置１の別の実施例）  
次に、上記実施例とは別のダンパ装置１の実施例について説明する。  
ここで、図１２は、上記実施例とは別の実施例のダンパ装置１を表す概略斜視図であり、図２に対応する図である。
【００６７】
図１２で表されるように、本実施例のダンパ装置１は、壁部７と可動カバー３との当接位置に、壁部７と可動カバー３との当接方向（方向Ｚ）に突出する突出部１１が設けられている。このように、本実施例のダンパ装置１は、壁部７と可動カバー３との当接位置に突出部１１が設けられているので、先に突出部１１に対して衝突させてから緩衝部材９に対して衝突させることで、壁部７と可動カバー３との衝突を分ける（衝突エネルギーを分散する）ことができ、壁部７と可動カバー３とが衝突した際の衝突音を効果的に低減することができる。
【００６８】
なお、本実施例のダンパ装置１は、突出部１１が壁部７に設けられているが、突出部１１が設けられる位置は、壁部７及び可動カバー３の何れであってもよい。
【００６９】
本発明は、上述の実施例に限られるものではなく、その趣旨を逸脱しない範囲において種々の構成で実現することができる。例えば、発明の概要の欄に記載した各形態中の技術的特徴に対応する実施例中の技術的特徴は、上述の課題の一部又は全部を解決するために、あるいは、上述の効果の一部又は全部を達成するために、適宜、差し替えや、組み合わせを行うことが可能である。
【００７０】
具体的には、例えば、上記実施例のダンパ装置１は、開口部Ｏを有する所定の取り付け位置に壁部７を取り付けて使用する構成であるが、このような構成に限定されない。開口部Ｏを有する所定の取り付け位置に、上記のような可動カバー３と駆動ユニット８と支持体２とを備え、該所定の取り付け位置と可動カバー３との当接位置に緩衝部材９を配置するダンパ装置１としてもよい。このような構成の場合、該所定の取り付け位置の構成部材を壁部として含めてダンパ装置１と認識できる。
【００７１】
また、その技術的特徴が本明細書中に必須なものとして説明されていなければ、適宜、削除することが可能である。
【符号の説明】
【００７２】
１…ダンパ装置、２…支持体、２ａ…支持部、２ｂ…端板部、２ｃ…孔部、
２ｄ…切欠き部、２ｅ…柱状部、３…可動カバー、３ａ…被係合部、３ｂ…孔部、
３ｃ…半円筒部、３ｄ…底面部、３ｅ…側面部、３ｆ…ピン、４…回転体、
４ａ…係合部、４ｂ…円筒状部、４ｃ…端面部、５…モータ、５ａ…本体部、
５ｂ…給電部、５ｃ…回転軸（移動軸）、５ｄ…歯車、６…ファン、６ａ…固定部、
６ｂ…本体部、７…壁部、７ａ…開口部、７ｂ…対向面、８…駆動ユニット、
９…緩衝部材、９ａ…緩衝部材、９ｂ…緩衝部材、１０…凹部、１１…突出部、
１０１…冷蔵庫、１０２…冷蔵室、１０３…冷凍室、１０４…野菜室、
１０５…冷却器、１０６…開閉板式ダンパ装置、１０７…開閉板式ダンパ装置、
１０８…開閉板式ダンパ装置、ＡＦ…気流、Ｏ…開口部
【図１】
2019128066.tif 000003
【図２】
2019128066.tif 000004
【図３】
2019128066.tif 000005
【図４】
2019128066.tif 000006
【図５】
2019128066.tif 000007
【図６】
2019128066.tif 000008
【図７】
2019128066.tif 000009
【図８】
2019128066.tif 000010
【図９】
2019128066.tif 000011
【図１０】
2019128066.tif 000012
【図１１】
2019128066.tif 000013
【図１２】
2019128066.tif 000014